【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
表示を行う表示手段と、
前記表示手段に表示させる制御を行う表示制御手段と、
遊技者に操作される操作手段と、
を備えた遊技台であって、
前記表示制御手段は、表示内容を変化させる背景表示を前記表示手段に表示させる手段であり、
前記表示制御手段は、表示内容を変化させる特定表示を前記表示手段に表示させる手段であり、
前記特定表示は、前記背景表示の手前側に重ねられる表示であり、
前記特定表示は、遊技結果を示唆する表示内容に変化する表示であり、
前記表示制御手段は、前記特定表示を表示開始する条件が成立した場合に、前記背景表示の表示内容を特定の表示内容に変更する変更制御を行う手段であり、
前記条件は、前記操作手段への操作に基づいて成立する条件であり、
前記変更制御は、前記背景表示の表示位置を変更する制御を含む制御であり、
前記表示制御手段は、前記背景表示の表示内容を前記特定の表示内容とした後に、前記特定表示を前記表示手段に表示させる手段であり、
前記特定表示の表示位置は、前記背景表示の表示位置と相対的な位置関係が変化しない表示位置であり、
前記表示制御手段は、前記特定表示を前記表示手段に表示させる場合に、前記背景表示を静止して見せる、
ことを特徴とする遊技台。
【請求項２】
請求項１に記載の遊技台であって、
前記表示制御手段は、前記特定表示を前記表示手段に表示させることを終了する場合に、前記背景表示を終了させる、
ことを特徴とする遊技台。
【請求項３】
請求項１または２に記載の遊技台であって、
前記背景表示のうちの一つは、第一の背景表示であり、
前記背景表示のうちの一つは、第二の背景表示であり、
前記第一の背景表示は、前記特定表示を手前側に重ねて表示する表示であり、
前記第二の背景表示は、前記特定表示を手前側に重ねて表示しない表示であり、
前記表示制御手段は、前記特定表示を前記表示手段に表示させることを終了させた場合に、前記第一の背景表示を終了させ、前記第二の背景表示を表示する、
ことを特徴とする遊技台。
【請求項４】
請求項１乃至３のいずれか一項に記載の遊技台であって、
前記特定表示は、複数種類の遊技結果に対応させた複数種類の表示から選択された一の表示である、
ことを特徴とする遊技台。
【請求項５】
制御手段と、
操作手段と、
表示手段と、
記憶手段と、
を備える端末を、
請求項１乃至４のいずれか一項に記載の遊技台の実機の処理を擬似的に実行する遊技台のシミュレーション実行手段として機能させる、
プログラム。
【手続補正２】
【補正対象書類名】明細書
【補正対象項目名】０００６
【補正方法】変更
【補正の内容】
【０００６】
本発明に係る遊技台は、表示を行う表示手段と、前記表示手段に表示させる制御を行う表示制御手段と、遊技者に操作される操作手段と、を備えた遊技台であって、前記表示制御手段は、表示内容を変化させる背景表示を前記表示手段に表示させる手段であり、前記表示制御手段は、表示内容を変化させる特定表示を前記表示手段に表示させる手段であり、前記特定表示は、前記背景表示の手前側に重ねられる表示であり、前記特定表示は、遊技結果を示唆する表示内容に変化する表示であり、前記表示制御手段は、前記特定表示を表示開始する条件が成立した場合に、前記背景表示の表示内容を特定の表示内容に変更する変更制御を行う手段であり、前記条件は、前記操作手段への操作に基づいて成立する条件であり、前記変更制御は、前記背景表示の表示位置を変更する制御を含む制御であり、前記表示制御手段は、前記背景表示の表示内容を前記特定の表示内容とした後に、前記特定表示を前記表示手段に表示させる手段であり、前記特定表示の表示位置は、前記背景表示の表示位置と相対的な位置関係が変化しない表示位置であり、前記表示制御手段は、前記特定表示を前記表示手段に表示させる場合に、前記背景表示を静止して見せる、ことを特徴とする遊技台である。
また、本発明に係るプログラムは、制御手段と、操作手段と、表示手段と、記憶手段と、を備える端末を、上記の遊技台の実機の処理を擬似的に実行する遊技台のシミュレーション実行手段として機能させる、プログラムである。
【手続補正３】
【補正対象書類名】明細書
【補正対象項目名】０５６１
【補正方法】変更
【補正の内容】
【０５６１】
このような構成とすることで、第三の制御対象（例えば、独立特定画像８０４）の表示期間中は遊技者に視認可能な位置に表示することができ、遊技者に注目させやすくすることができる場合がある。
また、本実施形態に係る遊技台（例えば、スロットマシン１００）は、表示を行う表示手段（例えば、演出画像表示装置１５７）と、前記表示手段に表示させる制御を行う表示制御手段（例えば、第２副制御部５００）と、遊技者に操作される操作手段（例えば、スタートレバー１３５）と、を備えた遊技台であって、前記表示制御手段は、表示内容を変化させる背景表示（例えば、ムービー動画の第１の遊技背景画像７００ＭＡ）を前記表示手段に表示させる手段であり、前記表示制御手段は、表示内容を変化させる特定表示（例えば、ムービー動画の特定画像７０２Ｍ）を前記表示手段に表示させる手段であり、前記特定表示は、前記背景表示の手前側に重ねられる表示であり、前記特定表示は、遊技結果（例えば、入賞役の内部当選）を示唆する表示内容に変化する表示であり、前記表示制御手段は、前記特定表示を表示開始する条件が成立した場合（例えば、、入賞役に内部当選した場合）に、前記背景表示の表示内容を特定の表示内容に変更する変更制御（例えば、基準表示位置Ｓ以外の位置で表示されている第１の遊技背景画像７００ＭＡを基準表示位置Ｓで表示する変更制御）を行う手段であり、前記条件は、前記操作手段への操作に基づいて成立する条件であり、前記変更制御は、前記背景表示の表示位置を変更（例えば、基準表示位置Ｓ以外の位置を基準表示位置Ｓに変更）する制御を含む制御であり、前記表示制御手段は、前記背景表示の表示内容を前記特定の表示内容とした後（例えば、基準表示位置Ｓ以外の位置で表示されている第１の遊技背景画像７００ＭＡを基準表示位置Ｓに移動した後）に、前記特定表示を前記表示手段に表示させる手段であり、前記特定表示の表示位置は、前記背景表示の表示位置と相対的な位置関係が変化しない表示位置であり、前記表示制御手段は、前記特定表示を前記表示手段に表示させる場合に、前記背景表示を静止して見せる、ことを特徴とする遊技台である。
また、前記表示制御手段は、前記特定表示を前記表示手段に表示させることを終了する場合に、前記背景表示を終了させる、ものであってもよい。
また、前記背景表示のうちの一つは、第一の背景表示（例えば、第１の遊技背景画像７００ＭＡ）であり、前記背景表示のうちの一つは、第二の背景表示（例えば、第２の遊技背景画像７００ＭＢ）であり、前記第一の背景表示は、前記特定表示を手前側に重ねて表示する表示であり、前記第二の背景表示は、前記特定表示を手前側に重ねて表示しない表示であり、前記表示制御手段は、前記特定表示を前記表示手段に表示させることを終了させた場合に、前記第一の背景表示を終了させ、前記第二の背景表示を表示する、ものであてもよい。
また、前記特定表示は、複数種類の遊技結果に対応させた複数種類の表示から選択された一の表示である、ものであってもよい。
また、本発明に係るプログラムは、制御手段（例えば、制御部）と、操作手段（例えば、操作部）と、表示手段（例えば、表示部）と、記憶手段（例えば、記憶部）と、を備える端末（例えば、携帯電話機３０００、ポータブルゲーム機４０００と、家庭用テレビゲーム機５０００など）を、請求項１乃至４のいずれか一項に記載の遊技台の実機の処理を擬似的に行う遊技台のシミュレーション実行手段として機能させる、プログラムである。